(57)【要約】      （修正有）【課題】交通安全や防犯運動等で着用する安全ベストの背面に標語を付した標語入り安全ベストを提供する。【解決手段】面ファスナーで正面を開閉可能なメッシュ生地の合成繊維製ベストに反射帯を縫い付け、背面に標語を記載した文字シートを付した表示部を複数段設け、前記表示部の文字シートが交換可能であることを特徴とする標語入り安全ベストの構成。【選択図】図１
0003156698.tif 000002
【実用新案登録請求の範囲】
【請求項１】
面ファスナーで正面を開閉可能なメッシュ生地の合成繊維製ベストに反射帯を縫い付け、背面に標語を記載した文字シートを付した表示部を設けたことを特徴とする標語入り安全ベスト。
【請求項２】
表示部を複数段にしたことを特徴とする請求項１に記載の標語入り安全ベスト。
【請求項３】
表示部の文字シートが交換可能であることを特徴とする請求項１又は２に記載の標語入り安全ベスト。
【考案の詳細な説明】
【技術分野】
【０００１】
本考案は、交通安全や防犯運動等で着用する安全ベストの背面に標語を付した標語入り安全ベストに関する。
【背景技術】
【０００２】
安全ベストは、反射チョッキとも呼ばれ、反射材をメッシュ生地のベストに縫い付けたもので、交通の往来のある場所において自身の存在をより早く認識してもらい、接触事故を防ぐ目的で着用する。
【０００３】
特許文献１に記載されているように、胴廻りの拡幅調整が可能であるジャケット本体にカードを着脱自在に収納するカード収納部位が形成され、狭域自警活動主体名称を表示するカードが装着されている考案も公開されている。
【考案の概要】
【考案が解決しようとする課題】
【０００４】
しかしながら、従来技術は、自身の存在を認識してもらうことを目的としており、相手に注意を喚起するまでには至らないという課題がある。
【０００５】
そこで、本考案は、交通安全や防犯運動等で着用する安全ベストの背面に標語を付した標語入り安全ベストを提供することを目的とするものである。
【課題を解決するための手段】
【０００６】
上記の課題を解決するために、本考案は、面ファスナーで正面を開閉可能なメッシュ生地の合成繊維製ベストに反射帯を縫い付け、背面に標語を記載した文字シートを付した表示部を複数段設け、前記表示部の文字シートが交換可能であることを特徴とする標語入り安全ベストの構成とした。
【考案の効果】
【０００７】
本考案は、交通安全や防犯運動等の活動時に、印象が残りやすい標語を見せることで、さらに注意を喚起することができる。
【図面の簡単な説明】
【０００８】
【図１】本考案である標語入り安全ベストの正面図である。
【図２】本考案である標語入り安全ベストの背面図である。
【図３】本考案である標語入り安全ベストの正面を開いた図である。
【図４】本考案である標語入り安全ベストの面ファスナーを剥がした図である。
【図５】本考案である標語入り安全ベストを開いたときの内面を示す図である。
【図６】本考案である標語入り安全ベストを開いたときの外面を示す図である。
【図７】本考案である標語入り安全ベストの表示部の拡大図である。
【図８】本考案である標語入り安全ベストの文字シートの交換を示す図である。
【図９】本考案である標語入り安全ベストの反射体の拡大図である。
【考案を実施するための形態】
【０００９】
本考案である標語入り安全ベストは、面ファスナーで正面を開閉可能なメッシュ生地の合成繊維製ベストに反射帯を縫い付け、背面に標語を記載した文字シートを付した表示部を複数段設け、前記表示部の文字シートが交換可能であることを特徴とする。
【実施例１】
【００１０】
図１は、本考案である標語入り安全ベストの正面図である。図２は、本考案である標語入り安全ベストの背面図である。
【００１１】
標語入り安全ベスト１は、背当て３及び左前当て４及び右前当て５からなるベスト２に、腰部反射帯６ａ及び左側反射帯６ｂ及び右側反射帯６ｃ及び背部反射帯６ｄからなる反射体６を縫い付け、腰部反射帯６ａや背部反射帯６ｄに表示部７を設けたものである。
【００１２】
尚、ベスト２は、合成繊維製のメッシュ生地であり、生地の端には縁材２ａを施してある。また、反射体６は、光を正反射又は乱反射又は再帰反射する素材を複数配置して帯状にしたものである。
【００１３】
背当て３は、主に着用者の背中を覆う部分であり、上部中央が首部３ａ、上部左側が左肩部３ｂ、上部右側が右肩部３ｃ、下部中央が背腰部３ｄ、下部左側が左腰内側部３ｅ、下部右側が右腰内側部３ｆである。
【００１４】
背当て３の左肩部３ｂにおいて左前当て４が連設され、着用者の左肩に掛けることができる。また、背当て３の右肩部３ｃにおいて右前当て５が連設され、着用者の右肩に掛けることができる。
【００１５】
左前当て４は、主に着用者の前面左側を覆う部分であり、上部が左肩部３ｂと繋がっており、下部正面が正面外側部４ａ、下部左側が左腰外側部４ｂである。尚、裏側に内ポケット４ｃを設けることができる。
【００１６】
右前当て５は、主に着用者の前面右側を覆う部分であり、上部が右肩部３ｃと繋がっており、下部正面が正面内側部５ａ、下部右側が右腰外側部５ｂである。尚、裏側の内ポケット４ｃは右側でも良い。
【００１７】
背当て３の左腰内側部３ｅと左前当て４の左腰外側部４ｂとが貼着され、背当て３の右腰内側部３ｆと右前当て５の右腰外側部５ｂとが貼着され、左前当て４の正面外側部４ａと右前当て５の正面内側部５ａとが貼着され、腰を囲む。
【００１８】
腰部反射帯６ａは、正面外側部４ａから横方向に、左腰外側部４ｂ、左腰内側部３ｅ、背腰部３ｄ、右腰内側部３ｆ、右腰外側部５ｂと回って、正面内側部５ａに至るように取り付けられる。
【００１９】
左側反射帯６ｂは、正面外側部４ａから左前当て４に沿って上方に進み、左肩部３ｂを回って背当て３を下方に進んで、背腰部３ｄに至るように取り付けられる。尚、両端は腰部反射帯６ａにより留められる。
【００２０】
右側反射帯６ｃは、正面内側部５ａから右前当て５に沿って上方に進み、右肩部３ｃを回って背当て３を下方に進んで、背腰部３ｄに至るように取り付けられる。尚、両端は腰部反射帯６ａにより留められる。
【００２１】
背部反射帯６ｄは、背当て３の表面において、左側反射帯６ｂから右側反射帯６ｃに渡すようにように取り付けられ、標語や企業名又は団体名などの文字を記載した表示部７を付けることができる。尚、背部反射帯６ｄは複数段設けても良い。
【００２２】
図３は、本考案である標語入り安全ベストの正面を開いた図である。図４は、本考案である標語入り安全ベストの面ファスナーを剥がした図である。
【００２３】
左前当て４の正面外側部４ａの裏面には上側面ファスナー８が付けられ、右前当て５の正面内側部５ａの表面には下側面ファスナー９が付けられ、上側面ファスナー８と下側面ファスナー９とは付け剥がし自在である。
【００２４】
左前当て４の左腰外側部４ｂの裏面には上側面ファスナー８ａが付けられ、背当て３の左腰内側部３ｅの表面には下側面ファスナー９ａが付けられ、上側面ファスナー８ａと下側面ファスナー９ａとは付け剥がし自在である。
【００２５】
右前当て５の右腰外側部５ｂの裏面には上側面ファスナー８ｂが付けられ、背当て３の右腰内側部３ｆの表面には下側面ファスナー９ｂが付けられ、上側面ファスナー８ｂと下側面ファスナー９ｂとは付け剥がし自在である。
【００２６】
図５は、本考案である標語入り安全ベストを開いたときの内面を示す図である。図６は、本考案である標語入り安全ベストを開いたときの外面を示す図である。
【００２７】
上側面ファスナー８と下側面ファスナー９、上側面ファスナー８ａと下側面ファスナー９ａ、上側面ファスナー８ｂと下側面ファスナー９ｂの全ての面ファスナーを剥がすと、左前当て４と右前当て５を開くことができ、一枚の生地となる。
【００２８】
図７は、本考案である標語入り安全ベストの表示部の拡大図である。図８は、本考案である標語入り安全ベストの文字シートの交換を示す図である。
【００２９】
表示部７は、腰部反射帯６ａや背部反射帯６ｄに対し、直接文字を記入、文字シールを貼付、文字シート７ａを貼付、封止具７ｃ付きの袋体７ｂを取り付け文字シート７ａを封入する等の方法により設けられる。
【００３０】
文字シート７ａは、紙やフィルムに標語や企業名又は団体名などの文字を記載したもので、文字は着色しても構わない。尚、背部反射帯６ｄに直接貼付する場合は、文字シート７ａの裏面に粘着剤などを付ける。
【００３１】
袋体７ｂは、上部又は下部が開口部で開閉可能な平たいビニール袋であり、開口部には凹凸を噛み合わせることで密封することができ、また、容易に開封することができる封止具７ｃを備える。
【００３２】
袋体７ｂを取り付けた場合は、時期や目的に応じて文字シート７ａを交換することができ、複数段のそれぞれが入替自由であり、汎用性が増す。尚、文字シート７ａが透明であれば、背部反射帯６ｄの反射効果を維持することができる。
【００３３】
図９は、本考案である標語入り安全ベストの反射体の拡大図である。
【００３４】
反射体６は、帯状の基材６ｆに複数の反射材６ｅを配置したものである。各反射材６ｅは、三角錐又は四角錐のマイクロプリズムが多数格子状又はレンガ状に配置されており、それぞれが光を再帰反射することができる。
【符号の説明】
【００３５】
１        標語入り安全ベスト
２        ベスト
２ａ      縁材
３        背当て
３ａ      首部
３ｂ      左肩部
３ｃ      右肩部
３ｄ      背腰部
３ｅ      左腰内側部
３ｆ      右腰内側部
４        左前当て
４ａ      正面外側部
４ｂ      左腰外側部
４ｃ      内ポケット
５        右前当て
５ａ      正面内側部
５ｂ      右腰外側部
６        反射体
６ａ      腰部反射帯
６ｂ      左側反射帯
６ｃ      右側反射帯
６ｄ      背部反射帯
６ｅ      反射材
６ｆ      基材
７        表示部
７ａ      文字シート
７ｂ      袋体
７ｃ      封止具
８        上側面ファスナー
８ａ      上側面ファスナー
８ｂ      上側面ファスナー
９        下側面ファスナー
９ａ      下側面ファスナー
９ｂ      下側面ファスナー
【先行技術文献】
【特許文献】
【００３６】
【特許文献１】実用新案登録第３１０８５００号公報
【図１】
0003156698.tif 000003
【図２】
0003156698.tif 000004
【図３】
0003156698.tif 000005
【図４】
0003156698.tif 000006
【図５】
0003156698.tif 000007
【図６】
0003156698.tif 000008
【図７】
0003156698.tif 000009
【図８】
0003156698.tif 000010
【図９】
0003156698.tif 000011